(57)【要約】【課題】画面に対する操作性を向上させること。【解決手段】表示制御装置は、画面に表示させる複数の選択対象となる第１領域を並べて配置する第１領域設定部と、画面上の操作位置を検出する検出部と、複数の第１領域と操作位置との関係に基づいて、複数の第１領域のうち選択中の第１領域を判定する選択判定部と、選択中の第１領域の周囲に、当該選択中の第１領域内における操作位置に対応する位置を示す表示を行う選択表示部と、を備える。【選択図】図１
2020003916.tif 000002
【特許請求の範囲】
【請求項１】
画面に表示させる複数の選択対象となる第１領域を並べて配置する第１領域設定部と、
前記画面上の操作位置を検出する検出部と、
複数の前記第１領域と前記操作位置との関係に基づいて、複数の前記第１領域のうち選択中の前記第１領域を判定する選択判定部と、
選択中の前記第１領域の周囲に、当該選択中の前記第１領域内における前記操作位置に対応する位置を示す表示を行う選択表示部と、
を備える表示制御装置。
【請求項２】
前記選択表示部は、
選択中の前記第１領域内における前記操作位置に対応する位置を通る軸と当該選択中の前記第１領域の周囲とが交差する位置の表示を、予め設定された表示に制御する、
請求項１に記載の表示制御装置。
【請求項３】
前記選択表示部は、
選択中の前記第１領域内における前記操作位置に対応する位置を通る互いに直行する２軸のそれぞれと当該選択中の前記第１領域の周囲とが交差する位置の表示を、予め設定された表示に制御する、
請求項１または請求項２に記載の表示制御装置。
【請求項４】
前記選択表示部は、
選択中の前記第１領域内における前記操作位置に対応する位置を通る軸と当該選択中の前記第１領域の周囲とが交差する位置の表示輝度を上げる、
請求項２または請求項３に記載の表示制御装置。
【請求項５】
前記選択表示部は、
選択中の前記第１領域の周囲の表示輝度を上げるとともに、選択中の前記第１領域内における前記操作位置に対応する位置を通る軸と当該選択中の前記第１領域の周囲とが交差する位置の表示輝度をさらに上げる、
請求項２から請求項４のいずれか一項に記載の表示制御装置。
【請求項６】
前記選択表示部は、
選択中の前記第１領域内における前記操作位置に対応する位置の表示輝度を上げる、
請求項１から請求項５のいずれか一項に記載の表示制御装置。
【請求項７】
前記第１領域設定部により配置された前記第１領域のそれぞれに対応する複数の第２領域を設定する第２領域設定部、
を備え、
前記選択判定部は、
複数の前記第２領域のうち前記操作位置が含まれる前記第２領域に対応する前記第１領域を、選択中の領域であると判定し、
前記選択表示部は、
前記第１領域と前記第１領域に対応する前記第２領域との大きさ又は位置が異なる場合、選択中の前記第１領域内における前記操作位置に対応する位置を、当該選択中の前記第１領域に対応する前記第２領域と前記画面上の前記操作位置との位置関係に基づいて生成する、
請求項１から請求項６のいずれか一項に記載の表示制御装置。
【請求項８】
請求項１から請求項７のいずれか一項に記載の表示制御装置、
を備えた表示装置。
【請求項９】
請求項８に記載の表示装置、
を備えたテレビジョン。
【請求項１０】
表示制御装置における表示制御方法であって、
第１領域設定部が、画面に表示させる複数の選択対象となる第１領域を並べて配置する第１領域設定ステップと、
検出部が、前記画面上の操作位置を検出する検出ステップと、
選択判定部が、複数の前記第１領域と前記操作位置との関係に基づいて、複数の前記第１領域のうち選択中の前記第１領域を判定する選択判定ステップと、
選択表示部が、選択中の前記第１領域の周囲に、当該選択中の前記第１領域内における前記操作位置に対応する位置を示す表示を行う選択表示ステップと、
を有する表示制御方法。
【請求項１１】
コンピュータに、
画面に表示させる複数の選択対象となる第１領域を並べて配置する第１領域設定ステップと、
前記画面上の操作位置を検出する検出ステップと、
複数の前記第１領域と前記操作位置との関係に基づいて、複数の前記第１領域のうち選択中の前記第１領域を判定する選択判定ステップと、
選択中の前記第１領域の周囲に、当該選択中の前記第１領域内における前記操作位置に対応する位置を示す表示を行う選択表示ステップと、
を実行させるためのプログラム。
【発明の詳細な説明】
【技術分野】
【０００１】
本発明は、表示制御装置、表示装置、テレビジョン、表示制御方法、及びプログラムに関する。
【背景技術】
【０００２】
リモコン（リモートコントローラ）を用いて表示装置の各種操作を行う技術が知られている。例えば、モーションセンサ搭載のリモコンを手に持って動かすことにより、画面上にリモコンが指し示す操作位置として表示されたポインタを移動させ、このポインタを画面上に表示されたアイコンに重なる位置に移動させることにより、アイコンを選択することができる。（例えば、特許文献１参照）。
【先行技術文献】
【特許文献】
【０００３】
【特許文献１】特許第５５８１８１７号公報
【発明の概要】
【発明が解決しようとする課題】
【０００４】
しかしながら、上述した特許文献１に記載の技術では、画面上にポインタが表示されるため、ポインタによってアイコンが隠れてしまうという課題がある。例えば、ポインタの表示を行わずに、選択されているアイコンを強調表示させるようにすると、ポインタによってアイコンが隠れてしまうことは無くなるが、操作位置の詳細位置が分からないため、どの程度動かせば隣のアイコンに移るかユーザが明示的に分からなかった。
【０００５】
本発明は上記の点に鑑みてなされたものであり、画面に対する操作性を向上させる表示制御装置、表示装置、テレビジョン、表示制御方法、及びプログラムを提供することを課題とする。
【課題を解決するための手段】
【０００６】
本発明は上記の課題を解決するためになされたものであり、本発明の一態様は、画面に表示させる複数の選択対象となる第１領域を並べて配置する第１領域設定部と、前記画面上の操作位置を検出する検出部と、複数の前記第１領域と前記操作位置との関係に基づいて、複数の前記第１領域のうち選択中の前記第１領域を判定する選択判定部と、選択中の前記第１領域の周囲に、当該選択中の前記第１領域内における前記操作位置に対応する位置を示す表示を行う選択表示部と、を備える表示制御装置である。
【０００７】
また、本発明の一態様は、上記の表示制御装置、を備えた表示装置である。
【０００８】
また、本発明の一態様は、上記の表示装置、を備えたテレビジョンである。
【０００９】
また、本発明の一態様は、表示制御装置における表示制御方法であって、第１領域設定部が、画面に表示させる複数の選択対象となる第１領域を並べて配置する第１領域設定ステップと、検出部が、前記画面上の操作位置を検出する検出ステップと、選択判定部が、複数の前記第１領域と前記操作位置との関係に基づいて、複数の前記第１領域のうち選択中の前記第１領域を判定する選択判定ステップと、選択表示部が、選択中の前記第１領域の周囲に、当該選択中の前記第１領域内における前記操作位置に対応する位置を示す表示を行う選択表示ステップと、を有する表示制御方法である。
【００１０】
また、本発明の一態様は、コンピュータに、画面に表示させる複数の選択対象となる第１領域を並べて配置する第１領域設定ステップと、前記画面上の操作位置を検出する検出ステップと、複数の前記第１領域と前記操作位置との関係に基づいて、複数の前記第１領域のうち選択中の前記第１領域を判定する選択判定ステップと、選択中の前記第１領域の周囲に、当該選択中の前記第１領域内における前記操作位置に対応する位置を示す表示を行う選択表示ステップと、を実行させるためのプログラムである。
【発明の効果】
【００１１】
本発明によれば、画面に対する操作性を向上させることができる。
【図面の簡単な説明】
【００１２】
【図１】実施形態の概要を説明する図。
【図２】実施形態に係る表示装置の構成の一例を示すブロック図。
【図３】実施形態に係るアイコン選択操作の制御処理の機能構成の一例を示す図。
【図４】アイコン選択画面と選択判定領域との第１例を示す図。
【図５】アイコン選択画面及び選択判定領域との第２例を示す図。
【図６】アイコン選択画面と選択判定領域との第３例を示す図。
【図７】実施形態に係るアイコン選択操作時の表示態様の一例を説明する図。
【図８】図７のアイコン選択画面の表示態様の様子を撮影した写真。
【図９】アイコン及び選択判定領域設定処理の一例を示すフローチャート。
【図１０】選択判定処理及び選択表示処理の一例を示すフローチャート。
【発明を実施するための形態】
【００１３】
以下、図面を参照して、本発明の実施形態について説明する。
本実施形態では、画面に表示された複数のアイコン（例えば、各種のコンテンツや各種の機能が割り付けられたアイコン）の中から所望のアイコンをエアマウスを用いて選択する。エアマウスとは、空間における動き又は姿勢を認識することで、空中で画面に向けて動かすことにより画面に対する操作が可能なリモコン（リモートコントローラ）である。例えば、エアマウスは、ジャイロセンサを搭載し、ジャイロセンサを用いて角度変化を検出することで、画面に対して指し示す位置（即ち、操作位置）を移動させることが可能である。
【００１４】
ところで、近年、テレビジョンの機能が拡張され、インターネットのホームページやＶＯＤ（Ｖｉｄｅｏ  Ｏｎ  Ｄｅｍａｎｄ）などの様々なコンテンツを再生、表示できるようになり、これらのコンテンツを選択するためのアイコンの数も増えている。また、４Ｋ又は８Ｋなどの高解像度化も進んでおり、各アイコンの大きさも小さくなってきている。例えば、従来、エアマウスを用いて、画面上にリモコンが指し示す操作位置としてポインタやカーソルなどを表示させると、それによってアイコンが隠れてしまうことがあった。
【００１５】
図１は、本実施形態の概要を説明する図である。
図１の（ａ）は、操作位置にカーソルが表示される従来のアイコン選択操作時の表示態様の一例を示している。画面に表示されたアイコンＩＣ１０にカーソルＣＡ１０が重なりアイコンＩＣ１０が選択されている状態である。破線ＳＨが示す水平方向の直線（軸）と破線ＳＶが示す垂直方向の直線（軸）との交点が操作位置を示しており、当該交点に対してカーソルＣＡ１０が表示されている。なお、この破線ＳＨ及び破線ＳＶは、操作位置を示すために図示しているものであり、画面に表示されるものではない。カーソルＣＡ１０が表示されることによって、操作位置は詳細に明示されるが、アイコンＩＣ１０の一部が隠れて見えなくなる。アイコンＩＣ１０の大きさが小さいほど、相対的にアイコンＩＣ１０の隠れる領域の割合が増加し、より見にくくなる。また、カーソルＣＡ１０が表示されることによって、位置を指し示す「点」の意識が強くなり、アイコン（例えば、コンテンツ）を選ぶという意識が薄れてしまい、ユーザの興趣が低下する懸念もある。
【００１６】
図１の（ｂ）は、カーソルの表示を行わずに、選択されているアイコンを強調表示させるアイコン選択操作時の表示態様の一例を示している。画面に表示されたアイコンＩＣ２０の領域内に操作位置（破線ＳＨと破線ＳＶの交点）があり、アイコンＩＣ２０が選択されている状態である。アイコンＩＣ２０は、選択されている状態であることを示す強調表示がされている。図示する例では、強調表示として、アイコンＩＣ２０の周囲に所定の色の枠Ｗ２０が表示されている。（ａ）に示した例とは違って、カーソルが表示されていないため、カーソルによってアイコンＩＣ２０は隠れることはない。しかし、アイコンＩＣ２０を選択しているという「アイコン単位」での操作の意識は明示されるが、操作位置の詳細位置（アイコンＩＣ２０内のどこが操作位置であるか）が分からないため、どの程度動かせば隣のアイコンを選択できるのかを感じるために必要な「点」の操作の意識が明示されず分からない。
【００１７】
図１の（ｃ）は、本実施形態に係るアイコン選択操作時の表示態様の一例を示している。本実施形態では、（ａ）に示す従来例の繊細な「点」の操作の意識と、（ｂ）に示す凡庸な「アイコン単位」での操作の意識とのそれぞれを中和させながら融合したアイコン選択操作時の表現手法を用いる。画面に表示されたアイコンＩＣ３０の領域内に操作位置（破線ＳＨと破線ＳＶの交点）があり、アイコンＩＣ３０が選択されている状態である。アイコンＩＣ３０は、選択されている状態であることを示す強調表示として、アイコンＩＣ３０の周囲の枠Ｗ３０の部分が光っている。また、アイコンＩＣ３０の周囲の枠Ｗ３０において操作位置に対応する位置の光量が増大している。枠Ｗ３０において操作位置に対応する位置とは、例えば、アイコンＩＣ３０の領域内の操作位置を通る破線ＳＨ及び破線ＳＶ（水平方向の直線（軸）及び垂直方向の直線（軸））のそれぞれとアイコンＩＣ３０の周囲の枠Ｗ３０との交差する４カ所の位置である。さらに、アイコンＩＣ３０の領域内の操作位置（破線ＳＨと破線ＳＶの交点）に対してスポットライトが当たっているように光っている。
【００１８】
ここで、枠Ｗ３０や操作位置が光るとは、画面の表示輝度を上げる処理により光っているように見せることをいう。例えば、当該部分の表示階調（ゲイン）を上げることにより、光っているように見せることができる。また、表示階調（ゲイン）の上げる量に応じて光量を調整することができ、枠Ｗ３０において、操作位置を通る破線ＳＨ及び破線ＳＶのそれぞれとアイコンＩＣ３０の周囲の枠Ｗ３０との交差する位置の光量を増大させることや、操作位置に対してスポットライトが当たっているように中心を最も光らせ中心から遠ざかるにつれ光量を低下させるような表示の演出が可能である。
【００１９】
これにより、本実施形態では、カーソルが表示されないためアイコンＩＣ３０が隠れることがなく見やすいうえに、アイコンＩＣ３０の周囲の枠Ｗ３０において操作位置に対応する位置の光量が増大していることにより操作位置の詳細位置（アイコンＩＣ３０内のどこが操作位置であるか）が感覚的に分かるため、どの程度動かせば隣のアイコンを選択できるのかを感じながらの操作が可能となる。即ち、本実施形態は、アイコンがカーソルによって隠れてしまうという課題を解決しつつ、同時に操作位置の詳細位置も感覚的に分かるため、アイコンを選ぶという「アイコン単位」での操作の意識と、どの程度動かせば隣のアイコンを選択できるのかを感じるために必要な「点」の操作の意識とをバランスよく感じることができる。よって、画面に対する操作性を向上することができる。
【００２０】
なお、上述のアイコンが選択されている状態（選択中の状態）とは、エアマウスでアイコンを指すことにより、そのアイコンが他のアイコンと区別された状態であって、選択確定の操作を受け付け可能な状態（所謂、フォーカスされた状態）である。
【００２１】
［表示装置の構成］
以下、図面を参照して、本実施形態に係る表示装置の構成について、詳しく説明する。図２は、本実施形態に係る表示装置１の構成の一例を示すブロック図である。表示装置１は、映像信号が入力されることにより、当該映像信号に対して各種の信号処理を行い、信号処理後の映像を表示する。例えば、表示装置１は、放送波を介して入力される映像信号や、インターネットのホームページ、ＶＯＤ（Ｖｉｄｅｏ  Ｏｎ  Ｄｅｍａｎｄ）などの様々なコンテンツの映像信号を表示するテレビジョンである。なお、表示装置１は、テレビジョン放送の入力には対応していなくてもよく、ＨＤＭＩ（Ｈｉｇｈ Ｄｅｆｉｎｉｔｉｏｎ Ｍｕｌｔｉｍｅｄｉａ Ｉｎｔｅｒｆａｃｅ、登録商標）端子、コンポジット映像端子、セパレート映像端子（Ｓ端子）、コンポーネント映像端子、Ｄ映像端子（Ｄ端子）などの入力端子から入力される映像信号を表示する表示装置（例えば、ＰＣ（Ｐｅｒｓｏｎａｌ Ｃｏｍｐｕｔｅｒ）用のモニターや映像評価用のマスターモニターなど）であってもよい。また、これらの表示装置は、多機能携帯電話機（所謂、スマートフォンを含む）、表示装置と一体として構成されたＰＣ（デスクトップ型ＰＣ、ラップトップ型ＰＣ、タブレット型ＰＣなどを含む）などであってもよい。
【００２２】
例えば、表示装置１は、表示制御装置１０と、表示部２０とを備えている。表示制御装置１０１０は、ＭＰＵ（Ｍｉｃｒｏ−Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１３と、表示制御部１４と、ビデオＲＡＭ１５と、通信部１６とを備えている。
【００２３】
ＭＰＵ１１は、表示装置１の各部を制御する主制御部として表示装置１における各種の処理を実行する。例えば、ＭＰＵ１１は、表示装置１に入力された映像信号に対する画像処理や画像処理を行った映像信号に基づく映像を表示部２０に表示させる処理などを実行する。また、ＭＰＵ１１は、各種の選択対象となるアイコンを表示部２０に表示させる処理、表示部２０に表示させた各種のアイコンを選択する操作の選択判定処理、及び選択操作に関する表示処理などを実行する。
【００２４】
ＲＡＭ１２は、ＭＰＵ１１が処理を実行する際の作業領域として用いられ、実行中の各種のプログラム、処理中の各種のデータなどを一時的に格納する。
ＲＯＭ１３は、ＭＰＵ１１が実行する各種のプログラム、処理に必要な各種のデータなどが記憶された不揮発性のメモリである。
【００２５】
表示制御部１４は、ＭＰＵ１１の制御に応じて、表示装置１の画面上に表示される映像やアイコンなどの画像データを生成する。また、表示制御部１４は、生成した画像データを表示部２０へ表示させる。
ビデオＲＡＭ１５は、表示制御部１４が処理を実行する際の作業領域となり、生成された画像データを一時的に格納する。
【００２６】
通信部１６は、Ｂｌｕｅｔｏｏｔｈ（登録商標）やＷｉ−Ｆｉ（登録商標）などの無線通信に対応し、エアマウス１００から送信される操作信号を受信する。
エアマウス１００は、エアマウス１００の動き（例えば、角度変化）を検出し、検出結果を示す検出信号を操作信号として出力する。例えば、エアマウス１００は、ジャイロセンサなどのモーションセンサを備え、エアマウス１００の角度変化（角速度あるいは角加速度など）を検出し、検出結果を示す検出信号を操作信号として出力する。なお、エアマウス１００は、ジャイロセンサに代えて或いは加えて、加速度センサ、傾斜センサ、地磁気センサなどを備えてエアマウス１００の動きを検出してもよい。また、エアマウス１００は、物理的に操作が可能な操作ボタンを備えてもよく、操作ボタンに対して操作がされたことに応じて、当該操作を示す操作信号を出力してもよい。
【００２７】
次に、図３を参照して、ＭＰＵ１１が実行する制御部としての機能のうち図１を参照して説明したアイコン選択操作の制御処理の機能ついてについて詳しく説明する。
図３は、本実施形態に係るアイコン選択操作の制御処理の機能構成の一例を示す図である。図示するアイコン制御部１１０は、ＭＰＵ１１が実行するアイコン選択操作の制御処理による機能構成の一例であり、アイコン設定部１１１（第１領域設定部の一例）と、選択判定領域設定部１１２（第２領域設定部の一例）と、操作検出部１１３と、選択判定部１１４と、選択表示部１１５とを備えている。
【００２８】
アイコン設定部１１１は、画面に表示させる複数の選択対象となる所定の数のアイコン（第１領域の一例）を、所定の位置に並べて配置する。例えば、後述する図４のアイコン選択画面ＧＡ１０、ＧＡ１１に示すように、アイコン設定部１１１は、アイコンＡ〜Ｆを上段と下段の２段に分けて水平方向へ所定の間隔を空けて（即ち、不連続に）並べて配置する。なお、アイコン設定部１１１は、画面に表示するアイコンの一部又は全てを連続的に並べて配置してもよい。また、アイコン設定部１１１は、表示するアイコンの内容（即ち、選択対象の内容）又はユーザの操作状況、或いは画面の仕様（画面サイズ、解像度（画素数）など）に基づいて、画面に表示するアイコンの数、サイズ、及び位置を必要に応じて変更して配置してもよい。
【００２９】
選択判定領域設定部１１２は、アイコン設定部１１１により配置された複数のアイコンのそれぞれに対応する複数の選択判定領域（第２領域の一例）を設定する。選択判定領域とは、アイコンが選択された状態であるか否かを判定するための領域である。例えば、後述する図４の選択判定領域画面ＧＳ１０、ＧＳ１１に示すように、選択判定領域設定部１１２は、アイコン設定部１１１により配置されたアイコンＡ〜Ｆの数に応じて画面の画面領域を分割した分割領域のそれぞれを、複数のアイコンのそれぞれに対応する複数の選択判定領域Ａ´〜Ｆ´として設定する。つまり、選択判定領域設定部１１２は、複数のアイコンのそれぞれに対応する複数の選択判定領域を、所定の間隔を開けずに隣接させ連続的に配置する。
【００３０】
また、選択判定領域設定部１１２は、画面上の水平方向及び垂直方向において、アイコンの数と同じ数になるように画面領域を分割した選択判定領域を設定する。例えば、選択判定領域設定部１１２は、水平方向と垂直方向とのそれぞれにおいて均等の幅を有する複数の選択判定領域を設定する。
【００３１】
また、表示するアイコンの内容（即ち、選択対象の内容）又はユーザの操作状況、或いは画面の仕様（画面サイズ、解像度（画素数）など）によて、画面に表示されるアイコンの数、サイズ、及び位置などは変化する。そのため、選択判定領域設定部１１２は、アイコン設定部１１１により配置されたアイコンの数、位置、及び画面の仕様に基づいて、複数のアイコンのそれぞれに対応する複数の選択判定領域を動的に生成して設定する。
【００３２】
（アイコン選択画面及び選択判定領域の設定例）
ここで、複数のアイコンが表示された表示画面（以下、「アイコン選択画面」という）と各アイコンの選択判定領域とについて説明する。なお、以下では、複数のアイコンが表示された表示画面にことを、「アイコン選択画面」と記載する。また、アイコン選択画面に表示された各アイコンの選択判定領域を示す画面のことを、「選択判定領域画面」と記載する。この選択判定領域画面は、実際に表示される画面ではなく、アイコン選択画面に対して設定されている選択判定領域を図示したものである。
【００３３】
図４は、アイコン選択画面と選択判定領域との第１例を示す図である。アイコン選択画面ＧＡ１０には、矩形状のアイコンＡ〜Ｆまでの６つの選択可能なアイコンが表示されている。図示する例では、アイコンＡ〜Ｆは上段と下段の２段で表示されている。上段には、アイコンＡ〜Ｄの４つのアイコンが画面の水平ライン方向（以下、「水平方向」という）へ並んで所定の間隔を空けて配置されている。なお、アイコンＡ〜Ｄは、画面の垂直ライン方向（以下、「垂直方向」という）の幅は同じであるが、水平方向の幅はアイコンＢのみが狭い。一方、下段には、アイコンＥとアイコンＦの２つのアイコンが水平方向へ並んで所定の間隔を空けて配置されている。但し、アイコンＥとアイコンＦの水平方向の幅及び垂直方向の幅は、アイコンＡのそれぞれの幅の半分以下であり、水平方向におけるアイコンＥとアイコンＦの配置されている幅は、アイコンＡの幅未満である。
【００３４】
一方、選択判定領域画面ＧＳ１０は、アイコン選択画面ＧＡ１０に表示された各アイコンの選択判定領域を示している。選択判定領域画面ＧＳ１０に示すように、アイコン選択画面ＧＡ１０に配置されているアイコンの数に応じて画面領域を分割した６つの分割領域である選択判定領域Ａ´〜Ｆ´のそれぞれがアイコンＡ〜Ｆのそれぞれに対応する選択判定領域として設定されている。
【００３５】
具体的には、選択判定領域Ａ´〜Ｆ´は、水平方向及び垂直方向ともに、アイコンの数と同じ数になるように画面領域が分割されて設定されている。図示するように、垂直方向に２つに分割され、上段は水平方向に４つに分割され、下段は水平方向に２つに分割されている。上段の選択判定領域Ａ´〜Ｄ´のそれぞれは、その並びに応じてアイコンＡ〜Ｄのそれぞれに対応する選択判定領域である。また、下段の選択判定領域Ｅ´と選択判定領域Ｆ´のそれぞれは、その並びに応じてアイコンＥとアイコンＦのそれぞれに対応する選択判定領域である。ここで、上段において、選択判定領域Ａ´〜Ｄ´のそれぞれは、水平方向において均等の幅を有する。同様に、下段において、選択判定領域Ｅ´と選択判定領域Ｆ´のそれぞれは、水平方向において均等の幅を有する。即ち、選択判定領域の幅は、アイコンの幅に直接的に左右されるのではなく、アイコンの数に応じて均等に分割されている。また、垂直方向の幅（上段と下段の幅）についても同様に均等である。
【００３６】
また、アイコン選択画面ＧＡ１０における操作位置を、図１と同様に、破線ＳＨと破線ＳＶとの交点で示している。アイコン選択画面ＧＡ１０における操作位置は、選択判定領域画面ＧＳ１０では選択判定領域Ｂ´に含まれるため、アイコンＢが選択されている状態である。
【００３７】
操作位置がアイコン選択画面ＧＡ１０に示す位置からアイコン選択画面ＧＡ１１に示す位置（アイコンＢから左斜め下方向）に移動すると、選択判定領域画面ＧＳ１１に示すように、移動後の操作位置が選択判定領域Ｅ´に含まれるため、アイコンＥが選択されている状態となる。つまり、アイコン選択画面ＧＡ１１において、操作位置がアイコンの表示領域外の位置に移動しているが、アイコンＢから左斜め下方向へ移動したことにより、当該方向の先にあるアイコンＥが選択されることになる。なお、図示する例で、アイコンＢからそのまま下方向へ操作位置が移動したとしても、アイコンＢにより近いアイコンＦではなくアイコンＥが選択されることになる。つまり、下段においてもアイコンＥの選択判定領域Ｅ´とアイコンＦの選択判定領域Ｆ´とが水平方向において画面の領域を均等に２分割しているため、左右の相対関係より上下の相対関係が優先されることになる。
【００３８】
このように、アイコンの数に応じて画面領域を分割した６つの分割領域が選択判定領域として設定されているため、隣接するアイコンどうしの選択判定領域の間に不感帯となる隙間がない。よって、画面内のどの位置をエアマウスで指していても、いずれかのアイコンが選択されている状態となるため、所望のアイコンを選択しやすくなる。また、エアマウスで指している現在の操作位置が画面上のどの辺りであるかがわからなくなることもない。
【００３９】
図５は、アイコン選択画面及び選択判定領域との第２例を示す図である。この図は、アイコンが３段で配置された場合の選択判定領域の設定例を示す図である。アイコン選択画面ＧＡ２０には、矩形状のアイコンＡ〜Ｉまでの９つの選択可能なアイコンが上段、中段、下段の３段で配置され表示されている。上段には、アイコンＡのみが配置されている。中段には、アイコンＢ〜Ｄが水平方向へ並んで所定の間隔を空けて配置されている。なお、図示するように、アイコンＢは、アイコンＣ、Ｄより大きく、水平方向のアイコンＢの幅がアイコンＣ、Ｄのそれぞれの幅の約３倍、垂直方向のアイコンＢの幅がアイコンＣ、Ｄのそれぞれの幅の約４倍である。下段には、アイコンＥ〜Ｉが水平方向へ並んで所定の間隔を空けて配置されている。アイコンＥ〜Ｉは、水平方向の幅が同じであり、垂直方向の幅も同じである。
【００４０】
一方、選択判定領域画面ＧＳ２０は、アイコン選択画面ＧＡ２０に表示された各アイコンの選択判定領域を示している。図示する例では、アイコン選択画面ＧＡ２０に配置されているアイコンの数に応じて画面領域を分割した９つの分割領域である選択判定領域Ａ´〜Ｉ´のそれぞれがアイコンＡ〜Ｆのそれぞれに対応する選択判定領域として設定されている。例えば、アイコン選択画面ＧＡ２０において、上段、中段、下段に配置されているアイコンの垂直方向の幅は同じではないが、選択判定領域画面ＧＳ２０では、選択判定領域として画面領域が垂直方向に３つに均等に分割されている。上段には、アイコンＡに対応する選択判定領域Ａ´のみが設定されている。中段は、画面領域が水平方向に均等に３つに分割されており、アイコンＢ〜Ｄに対応する選択判定領域Ｂ´〜Ｄ´が設定されている。つまり、アイコンＢとアイコンＣ、Ｄとは水平方向の幅も垂直方向の幅も異なるが、選択判定領域Ｂ´〜Ｄ´水平方向の幅も垂直方向の幅も同じである。下段は、画面領域が水平方向に均等に５つに分割されており、アイコンＥ〜Ｉに対応する選択判定領域Ｅ´〜Ｉ´が設定されている。また、アイコン選択画面ＧＡ２０における操作位置（破線ＳＨと破線ＳＶとの交点）は、選択判定領域画面ＧＳ２０では選択判定領域Ｂ´に含まれるため、アイコンＢが選択されている状態である。
【００４１】
図６は、アイコン選択画面と選択判定領域との第３例を示す図である。この図は、アイコンが画面の上端と下端にのみ配置された場合の選択判定領域の設定例である。アイコン選択画面ＧＡ４０には、矩形状の４つのアイコンＡ〜Ｄが配置され表示されている。上端には、アイコンＡのみが配置されている。下端には、３つのアイコンＢ〜Ｄが水平方向へ並んで所定の間隔を空けて配置されている。このアイコンの配置は、例えば、動画コンテンツの再生中にアイコン選択画面に切り替わった時に表示されるアイコンの配置例である。例えば、アイコンＡは、再生可能なコンテンツの一覧画面に遷移させる機能が割り当てられている。また、アイコンＢ〜Ｄは、再生中の動画コンテンツの停止（一時停止）、再生、早送り、巻き戻しなどの機能が割り当てられている。
【００４２】
一方、選択判定領域画面ＧＳ４０は、アイコン選択画面ＧＡ４０に表示された各アイコンの選択判定領域を示している。図示する例では、アイコン選択画面ＧＡ４０に配置されているアイコンの数に応じて画面領域を分割した４つの分割領域である選択判定領域Ａ´〜Ｄ´のそれぞれがアイコンＡ〜Ｄのそれぞれに対応する選択判定領域として設定されている。例えば、アイコン選択画面ＧＡ４０では、上端と下端のみにアイコンが配置されているが、選択判定領域画面ＧＳ４０では、選択判定領域として画面領域が垂直方向に上段と下段の２つに均等に分割されている。上段は、アイコンＡに対応する選択判定領域Ａ´として設定されている。下段は、画面領域が水平方向に均等に３つに分割されており、アイコンＢ〜Ｄに対応する選択判定領域Ｂ´〜Ｄ´が設定されている。また、アイコン選択画面ＧＡ４０における操作位置（破線ＳＨと破線ＳＶとの交点）は画面の中央で、アイコンが配置されている領域とは離れているが、選択判定領域画面ＧＳ４０では選択判定領域Ｃ´に含まれるため、アイコンＣが選択されている状態である。
【００４３】
なお、選択判定領域設定部１１２は、複数のアイコンのそれぞれの大きさに応じて、複数の選択判定領域のそれぞれの大きさを設定してもよい。例えば、選択判定領域設定部１１２は、複数のアイコンのそれぞれの大きさに応じて画面領域全体を分割した分割領域をそれぞれのアイコンに対応する選択判定領域としてもよい。また、選択判定領域設定部１１２は、複数のアイコンのそれぞれの機能に応じて、複数の選択判定領域のそれぞれの大きさを設定してもよい。例えば、選択判定領域設定部１１２は、予め設定された機能のアイコンに対応する選択判定領域の大きさを、他のアイコンに対応する選択判定領域よりも大きく設定してもよい。予め設定された機能とは、例えば、重要な機能、使用頻度が高いと想定される機能などである。また、選択判定領域設定部１１２は、実際に各アイコンの使用頻度を計数し、使用頻度の高いアイコンに対応する選択判定領域の大きさを、使用頻度の低いアイコンに対応する選択判定領域よりも大きく設定してもよい。
【００４４】
また、上述した選択判定領域の設定例では、画面領域の全体をアイコンの数で分割した分割領域を選択判定領域としたため、画面領域に選択判定領域とならない領域が存在していないが、選択判定領域とならない領域が画面領域の一部に存在してもよい。例えば、画面領域の上下左右のすべての端に選択判定領域とならない隙間が設けられてもよいし、少なくとも上下左右のいずれか一つの端に選択判定領域とならない隙間が設けられてもよい。また、アイコンが上段と下段の２段で配置されている場合、上段のアイコンに対応する選択判定領域と下段のアイコンに対応する選択判定領域との間に選択判定領域とならない隙間が設けられてもよい。なお、アイコンが３段以上の複数の段で配置されている場合には、少なくとも一以上の段と段の間に選択判定領域とならない隙間が設けられてもよい。また、左右方向に複数の列でアイコンが配置されている場合には、少なくとも一以上の列と列の間に選択判定領域とならない隙間が設けられてもよい。つまり、選択判定領域設定部１１２は、複数の選択判定領域のうち少なくとも２つの選択判定領域どうしの一部を隣接させてもよい。
【００４５】
また、アイコンの領域と当該アイコンに対応する選択判定領域との大きさ及び位置が一致してもよい。例えば、選択判定領域設定部１１２は、アイコンと同じ大きさと位置の選択判定領域を設定しもよいし、改めて選択判定領域を設定しなくてもよい。選択判定領域を設定しない場合には、アイコンの領域がそのまま選択判定領域として処理が行われてもよい。また、アイコンの領域と当該アイコンに対応する選択判定領域との大きさ及び位置が基本的に一致する場合でも、アイコンの領域より選択判定領域の方が若干大きく設定されてもよい。
【００４６】
図３に戻り、操作検出部１１３は、通信部１６が受信するエアマウス１００から送信される操作信号に基づいて、画面上の操作位置を検出する。例えば、ユーザが、手に持っているエアマウス１００を表示装置１の画面の方へ向けて、ヨー方向又はピッチ方向へ動かすことに応じて、エアマウス１００からジャイロセンサで検出された角度変化（角速度あるいは角加速度など）の検出信号が操作信号として送信される。操作検出部１１３は、この操作信号に基づいて、検出された角度変化に応じた操作位置の位置座標を変化させる。
【００４７】
なお、操作検出部１１３は、例えば、エアマウス１００に設けられている所定の操作ボタンが押下された場合に、操作位置を画面の中央の位置に設定（或いは、再設定）してもよい。
【００４８】
選択判定部１１４は、複数のアイコンと操作位置との関係に基づいて、複数のアイコンのうち選択中のアイコンを判定する。例え、選択判定部１１４は、複数のアイコンそれぞれに対応する選択判定領域のうち操作位置が含まれる選択判定領域に対応するアイコンを、選択中のアイコンであると判定する。
【００４９】
選択表示部１１５は、選択判定部１１４により選択中であると判定されたアイコンを、選択中であることを示す表示態様に変更する。例えば、選択表示部１１５は、選択中のアイコンを強調表示させる。具体的には、選択表示部１１５は、選択中のアイコンの周囲（例えば、図１（ｃ）の枠Ｗ３０）の表示輝度を上げて光らせる（図１（ｃ）参照）。アイコンの周囲とは、アイコンの枠の内周、外周、または枠上のいずれでもよいし、それらの組み合わせでもよい。また、選択表示部１１５は、選択中のアイコンの周囲に、当該選択中のアイコン内における操作位置に対応する位置を示す表示を行う。例えば、選択表示部１１５は、選択中のアイコン内における操作位置に対応する位置を通る２軸（例えば、図１（ｃ）の破線ＳＨ及び破線ＳＶ）と当該選択中のアイコンの周囲（例えば、図１（ｃ）の枠Ｗ３０）とが交差する位置の表示輝度をさらに上げ、光量を増大させる（図１（ｃ）参照）。また、選択表示部１１５は、選択中のアイコン内における操作位置に対応する位置の表示輝度を上げて、スポットライトが当たっているように光らせてもよい。このアイコン選択操作時の表示態様について、図７を参照して、以下に詳しく説明する。
【００５０】
（アイコン選択操作時の表示態様の例）
図７は、本実施形態に係るアイコン選択操作時の表示態様の一例を説明する図である。図７に示すアイコン選択画面ＧＡ１００におけるアイコンの配置及び選択判定領域画面ＧＳ１００における選択判定領域の設定は、図５に示すアイコン選択画面ＧＡ２０及び選択判定領域画面ＧＳ２０と同様である。アイコン選択画面ＧＡ１００に対する操作位置ＳＰ（破線ＳＨと破線ＳＶとの交点）は、選択判定領域画面ＧＳ１００では選択判定領域Ｂ´に含まれるため、アイコンＢが選択されている状態である。
【００５１】
選択表示部１１５は、アイコンＢの周囲の枠Ｗ１００の部分の表示輝度を上げることにより、光らせる。また、選択表示部１１５は、選択中のアイコンＢの周囲の枠Ｗ１００に、アイコンＢ内における画面上の操作位置に対応する位置ＳＰ´（破線ＳＨ´と破線ＳＶ´との交点）を示す表示を行う。ここで、アイコンＢ内における画面上の操作位置に対応する位置ＳＰ´は、画面上の操作位置ＳＰと一致するとは限らない。例えば、図７に示すように、アイコンＢの領域と選択判定領域Ｂ´とが位置も大きさも一致していない場合、両者の位置は異なる位置座標となる。そこで、選択表示部１１５は、アイコンＢ内における操作位置に対応する位置ＳＰ´を、アイコンＢに対応する選択判定領域Ｂ´と画面上の操作位置ＳＰとの位置関係に基づいて生成する。例えば、選択表示部１１５は、選択判定領域Ｂ´における画面上の操作位置ＳＰの比率と同じになるように、アイコンＢにおける操作位置に対応する位置ＳＰ´の座標を算出する。
【００５２】
例えば、選択表示部１１５は、選択中のアイコンＢの周囲の枠Ｗ１００に、アイコンＢ内における画面上の操作位置に対応する位置ＳＰ´を示す表示を行う場合、破線ＳＨ´及び破線ＳＶ´のそれぞれと枠Ｗ１００とが交差する４カ所の位置ＷＰの表示輝度をさらに上げることにより、さらに光らせる。例えば、選択表示部１１５は、枠Ｗ１００の表示輝度を最大輝度に対して７０％の輝度に上げ、枠Ｗ１００における４カ所の位置ＷＰの表示輝度を最大輝度に対して９５％の輝度に上げることにより光らせる。また、選択表示部１１５は、アイコンＢ内における画面上の操作位置に対応する位置ＳＰ´の表示輝度を上げる。例えば、選択表示部１１５は、アイコンＢ内における画面上の操作位置に対応する位置ＳＰ´を中心とした所定の範囲のスポット領域において、中心の表示輝度を最も高く、中心から遠ざかるにつれて表示輝度を低下させ、スポットライトが当たっているように光らせる。図８は、図７のアイコン選択画面ＧＡ１００の表示態様の様子を撮影した写真である。
【００５３】
なお、アイコンの領域と当該アイコンに対応する選択判定領域との大きさ及び位置が一致する場合には、アイコンＢ内における画面上の操作位置に対応する位置ＳＰ´と、画面上の操作位置ＳＰとを一致させてもよい。
【００５４】
［処理の動作］
次に、表示装置１のアイコン制御部１１０が実行するアイコン選択操作の制御処理の動作について説明する。まず、図９を参照して、アイコン選択画面に切り替えられた際に、アイコン及び選択判定領域を設定する処理の動作について説明する。図９は、本実施形態に係るアイコン及び選択判定領域設定処理の一例を示すフローチャートである。
【００５５】
（ステップＳ１０１）アイコン制御部１１０は、ユーザの操作により、アイコン選択画面に切り替えられたか否かを判定する。アイコン制御部１１０は、アイコン選択画面に切り替えられたと判定した場合（ＹＥＳ）、ステップＳ１０３の処理に進む。一方、アイコン制御部１１０は、アイコン選択画面に切り替えられていないと判定した場合（ＮＯ）、ステップＳ１０１の処理を再び行う。
【００５６】
（ステップＳ１０３）アイコン制御部１１０は、アイコン設定部１１１は、画面に表示させる複数の選択対象となる所定の数のアイコンを、所定の位置に並べて配置する。例えば、図７のアイコン選択画面ＧＡ１００に示すように、アイコン設定部１１１は、アイコンＡ〜Ｉを上段、中段、及び下段の３段に分けて水平方向へ所定の間隔を空けて（即ち、不連続に）並べて配置する。これにより、表示制御部１４を介して表示部２０に複数のアイコンが表示される。そして、ステップＳ１０５の処理に進む。
【００５７】
（ステップＳ１０５）アイコン制御部１１０は、アイコンの数、位置、及び画面の仕様に基づいて、複数のアイコンのそれぞれに対応する複数の選択判定領域を設定する。例えば、アイコン制御部１１０は、図７の選択判定領域画面ＧＳ１００に示すように、ステップＳ１０３において配置されたアイコンＡ〜Ｉの数、及び位置に基づいて画面の画面領域を分割した分割領域のそれぞれを、複数のアイコンのそれぞれに対応する複数の選択判定領域Ａ´〜Ｉ´として設定する。
【００５８】
次に、図１０を参照して、アイコン選択画面において、エアマウス１００の操作により選択されたアイコンを判定する選択判定処理の動作について説明する。図１０は、本実施形態に係る選択判定処理及び選択表示処理の一例を示すフローチャートである。
【００５９】
（ステップＳ２０１）アイコン制御部１１０は、エアマウス１００から送信される操作信号に基づいて操作がされたか否かを判定する。アイコン制御部１１０は、操作がされたと判定した場合（ＹＥＳ）、ステップＳ２０３の処理に進む。一方、アイコン制御部１１０は、操作がされていないと判定した場合（ＮＯ）、ステップＳ２０１の処理を再び行う。
【００６０】
（ステップＳ２０３）アイコン制御部１１０は、エアマウス１００から送信される操作信号に基づいて画面上の操作位置を検出し、ステップＳ２０５の処理に進む。
【００６１】
（ステップＳ２０５）アイコン制御部１１０は、検出された操作位置が含まれる選択判定領域に対応するアイコンを、選択中のアイコンであると判定する。例えば図７に示す例では、アイコン制御部１１０は、画面上の操作位置ＳＰが選択判定領域Ｂ´に含まれるため、アイコンＢが選択中のアイコンであると判定する。そして、ステップＳ２０７の処理に進む。
【００６２】
（ステップＳ２０７）アイコン制御部１１０は、選択中のアイコンと選択判定領域との大きさ及び位置が一致するか否かを判定する。アイコン制御部１１０は、選択中のアイコンと選択判定領域との大きさ及び位置が一致すると判定した場合（ＹＥＳ）、ステップＳ２１１の処理に進む。一方、アイコン制御部１１０は、選択中のアイコンと選択判定領域との大きさ及び位置のいずれか一方又は両方が一致しないと判定した場合（ＮＯ）、ステップＳ２０９の処理に進む。例えば図７に示す例では、アイコン制御部１１０は、選択中のアイコンＢと選択判定領域Ｂ´との大きさ及び位置が一致しないため、ステップＳ２０９の処理に進む。
【００６３】
（ステップＳ２０９）アイコン制御部１１０は、選択中のアイコン内における操作位置に対応する位置を、当該アイコンに対応する選択判定領域と画面上の操作位置との位置関係に基づいて生成する。例えば、例えば図７に示す例では、選択表示部１１５は、選択判定領域Ｂ´における画面上の操作位置ＳＰの比率と同じになるように、アイコンＢ内における操作位置に対応する位置ＳＰ´の座標を算出する。そして、ステップＳ２１１の処理に進む。
【００６４】
（ステップＳ２１１）アイコン制御部１１０は、選択中のアイコンの表示態様を変更する。例えば、また、アイコン制御部１１０は、選択中のアイコンの周囲を強調表示させる（例えば、周囲の枠の表示輝度を上げて光らせる）。また、アイコン制御部１１０は、選択中のアイコンの周囲に、画面上における操作位置に対応する位置を示す表示を行う。
【００６５】
ここで、画面上における操作位置に対応する位置とは、ステップＳ２０７の処理からステップＳ２１１の処理に直接に移行した場合は画面上の操作位置と同一であり、ステップＳ２０９の処理からステップＳ２１１の処理に移行した場合はステップＳ２０９において、選択判定領域と画面上の操作位置との位置関係に基づいて算出された位置である。例えば、アイコン制御部１１０は、ステップＳ２０７の処理からステップＳ２１１の処理に直接に移行した場合、画面上の操作位置に基づいて、選択中のアイコンの周囲に当該操作位置を示す表示を行う。また、アイコン制御部１１０は、選択中のアイコン内における画面上の操作位置の表示輝度を上げる。一方、アイコン制御部１１０は、ステップＳ２０９の処理からステップＳ２１１の処理に移行した場合、選択中のアイコン内における操作位置に対応する位置（ステップＳ２０９において座標を算出した位置）に基づいて、選択中のアイコンの周囲に当該位置を示す表示を行う。また、アイコン制御部１１０は、選択中のアイコン内における画面上の操作位置に対応する位置（ステップＳ２０９において座標を算出した位置）の表示輝度を上げる。
【００６６】
例えば図７に示す例では、選択表示部１１５は、アイコンＢの周囲の枠Ｗ１００の表示輝度を上げることにより、光らせる。また、アイコン制御部１１０は、選択中のアイコンＢの周囲の枠Ｗ１００に、アイコンＢ内における画面上の操作位置に対応する位置ＳＰ´（破線ＳＨ´と破線ＳＶ´との交点）を示す表示を行う。具体的には、アイコン制御部１１０は、破線ＳＨ´及び破線ＳＶ´のそれぞれと枠Ｗ１００とが交差する４カ所の位置ＷＰの表示輝度をさらに上げることにより、さらに光らせる。例えば、アイコン制御部１１０は、枠Ｗ１００の表示輝度を最大輝度に対して７０％の輝度に上げ、枠Ｗ１００における４カ所の位置ＷＰの表示輝度を最大輝度に対して９５％の輝度に上げる。また、選択表示部１１５は、アイコンＢ内における画面上の操作位置に対応する位置ＳＰ´の表示輝度を上げることにより光らせる。
【００６７】
なお、上記実施形態では、選択中のアイコンを強調表示させる例として、当該アイコンの周囲の表示輝度を上げて光らせる例を説明したが、強調表示の方法は、これに限られるものではない。例えば、当該アイコンの周囲に予め設定された色の枠を表示する方法であってもよいし、元々アイコンに枠が表示されている場合には枠が太くなったり色が変わったりすること、或いは、アイコンのサイズが少し大きくなったり、アイコン自体の表示色やコントラストが変化することなど、他の選択されていないアイコンとの区別が可能であれば、いずれの方法あってもよい。
【００６８】
また、選択中のアイコンの周囲の４カ所の位置（例えば、図７の位置ＷＰ）の表示輝度を上げて光らせることにより当該アイコンが選択中であることが分かるため、上述したようなアイコンの全周囲の表示輝度を上げて光らせるような強調表示を行わなくてもよい。
【００６９】
また、上記実施形態では、操作位置がユーザに感覚的に分かるように、選択中のアイコンの周囲の４カ所の位置（例えば、図７の位置ＷＰ）と、画面上の操作位置に対応する位置（例えば、図７の位置ＳＰ´）との両方の表示輝度を上げて光らせる例を説明したが、前者又は後者のいずれか一方のみを行ってもよい。
【００７０】
［まとめ］
以上説明したように、本実施形態に係る表示装置１は、アイコン設定部１１１（第１領域設定部の一例）と、操作検出部１１３（検出部の一例）と、選択判定部１１４と、選択表示部１１５と、を備えている。アイコン設定部１１１は、画面に表示させる複数の選択対象となるアイコン（第１領域の一例）を並べて配置する。操作検出部１１３は、画面上の操作位置を検出する。選択判定部１１４は、複数のアイコンと画面上の操作位置との関係に基づいて、複数のアイコンのうち選択中のアイコンを判定する。そして、選択表示部１１５は、選択中のアイコンの周囲に、当該選択中のアイコン内における画面上の操作位置に対応する位置を示す表示を行う。
【００７１】
これにより、表示装置１は、選択中のアイコンの周囲に操作位置に対応する表示を行うため、アイコンを隠すことなく、ユーザが操作している操作位置を詳細に示すことができる。つまり、アイコンがカーソルによって隠れてしまうという課題を解決しつつ、同時に操作位置の詳細位置も感覚的に分かるようにすることができ、画面上のどの辺りを指しているかが分からなくならないようにすることができ、よって、画面に対する操作性を向上することができる。
【００７２】
例えば、選択表示部１１５は、選択中のアイコン内における画面上の操作位置に対応する位置を通る直線（軸）と当該選択中のアイコンの周囲とが交差する位置（例えば、図７の位置ＷＰ）の表示を、予め設定された表示に制御する。これにより、表示装置１は、アイコンの周囲の表示を操作位置によって所定の方向へ連動して変化させることができるため、ユーザが操作している操作位置をアイコン単位で示すよりも詳細に示すことができる。よって、画面に対する操作性を向上することができる。
【００７３】
一例として、選択表示部１１５は、選択中のアイコン内における画面上の操作位置に対応する位置を通る互いに直行する２つの直線（２軸）のそれぞれと、選択中のアイコンの周囲とが交差する位置（例えば、図７の位置ＷＰ）の表示を、予め設定された表示に制御する。これにより、表示装置１は、アイコンの周囲の表示を操作位置によって２方向（例えば、上下方向及び左右方向）へ連動して変化させることができるため、ユーザが操作している操作位置の詳細を「点」の意識で感覚的に分かるように示すことができる。よって、画面に対する操作性を向上することができる。
【００７４】
なお、操作位置に対応する位置を通る互いに直行する２つの直線（２軸）のそれぞれと、選択中のアイコンの周囲とが交差する位置の表示を制御する例を説明したが、互いに直行する２つの直線（２軸）に限られるものではなく、２つの直線（２軸）は直行しなくてもよいし、１つの直線（１軸）であってもよい。また、３つ以上の直線（軸）であってもよい。
【００７５】
また、上述の予め設定された表示に制御するとは、例えば、表示輝度を上げる制御としてもよい。例えば、選択表示部１１５は、選択中のアイコン内における画面上の操作位置に対応する位置を通る直線（軸）と当該選択中のアイコンの周囲とが交差する位置（例えば、図７の位置ＷＰ）の表示輝度を上げてもよい。これにより、表示装置１は、アイコンの周囲の操作位置に対応する位置を光らせることにより、操作位置によってアイコンの周囲の光っている位置を所定の方向へ連動して変化させることができる。よって、ユーザが操作している操作位置の詳細を「点」の意識で感覚的に分かるように示すことができる。
【００７６】
また、選択表示部１１５は、選択中のアイコンの周囲の表示輝度を上げるとともに、選択中のアイコン内における画面上の操作位置に対応する位置を通る直線（軸）と当該選択中のアイコンの周囲とが交差する位置（例えば、図７の位置ＷＰ）の表示輝度をさらに上げてもよい。これにより、表示装置１は、選択中のアイコンを明示的に示すことができるとともに、さらに操作位置の詳細を「点」の意識で感覚的に分かるように示すことができる。
【００７７】
また、選択表示部１１５は、選択中のアイコン内における画面上の操作位置に対応する位置の表示輝度を上げてもよい。これにより、表示装置１は、アイコンの一部を完全に隠すのではなく光らせることで、アイコンの画像を残しつつ操作位置に対応する位置を当該位置の座標に示すことができる。
【００７８】
また、表示装置１は、アイコン設定部１１１により配置されたアイコンのそれぞれに対応する複数の選択判定領域（第２領域の一例）を設定する選択判定領域設定部１１２（第２領域設定部の一例）を備えている。選択判定部１１４は、複数の選択判定領域のうち画面上の操作位置が含まれる選択判定領域に対応するアイコンを、選択中のアイコンであると判定する。そして、選択表示部１１５は、アイコンとアイコンに対応する選択判定領域との大きさ又は位置が異なる場合、選択中のアイコン内における画面上の操作位置に対応する位置を、当該選択中のアイコンに対応する選択判定領域と画面上の操作位置との位置関係に基づいて生成してもよい。
【００７９】
これにより、表示装置１は、アイコンに対して選択判定領域を別に設定することで、アイコンの大小に関わらず選択しやすいようにすることができるとともに、アイコンと選択判定領域の大きさ又は位置が異なる場合でも、画面上の操作位置を選択中のアイコンにおける位置に補正して示すことができる。よって、ユーザは、どの程度動かせば隣のアイコンを選択できるのかを感じることができる。即ち、表示装置１は、画面に対する操作性を向上することができる。
【００８０】
なお、選択中のアイコン内における画面上の操作位置に対応する位置を通る直線（軸）と当該選択中のアイコンの周囲とが交差する位置（例えば、図７の位置ＷＰ）の表示輝度を上げて光らせる例を説明したが、これに限られるものではない。例えば、表示装置１は、当該交差する位置（例えば、図７の位置ＷＰ）を予め設定された色に制御してもよいし、当該交差する位置（例えば、図７の位置ＷＰ）に予め設定されたマークを表示させてもよい。また、表示装置１は、選択中のアイコンの周囲に所定の色の枠を表示させてもよい。この場合、当該交差する位置（例えば、図７の位置ＷＰ）を枠の色とは異なる色に制御してもよいし、当該交差する位置（例えば、図７の位置ＷＰ）に予め設定されたマークを表示させてもよい。
【００８１】
また、上記実施形態では、選択対象となる領域（第１領域）としてアイコンが表示される例を説明したが、アイコン以外のものであってもよく、例えば、選択対象となる領域（第１領域）としてボタン又はバナーなどが表示されてもよい。
【００８２】
また、上記実施形態では、アイコンの数、位置、及び画面の仕様に基づいて、複数のアイコンのそれぞれに対応する複数の選択判定領域が動的に生成される例を説明したが、選択判定領域は、動的に生成されなくてもよい。例えば、アイコンの数、位置、画面の仕様などに基づいて選択判定領域が予め設定されていてもよい。
【００８３】
また、上記実施形態では、画面に対する操作方法として、エアマウスを用いた操作方法を例として説明したが、エアマウスに限定されるものではない。例えば、机上（或いは机上に置かれたパッド上）などで操作するマウスやペンタブレットを用いた操作方法、レーザポインタを用いた操作方法、人の動きなどを検出するモーションキャプチャーを用いた操作方法に適用することもできる。  
【００８４】
なお、上述した実施形態における表示装置１の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、表示装置１に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００８５】
また、表示装置１の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の表示装置１内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００８６】
また、上記実施形態では、表示部２０を備えた表示装置１の構成例を説明したが、表示部２０が備えられていない表示制御装置として構成してもよい。例えば、表示制御装置は、外部装置としてのテレビジョンやモニターなどと接続可能であり、図２に示す表示制御装置１０の構成（及び図３に示すアイコン制御部１１０の構成）の一部又は全部を備える構成としてもよい。具体的には、外部装置としてのテレビジョンやモニターなどに映像信号を出力するＤＶＤプレイヤー、ＨＤＤレコーダー、ケーブルテレビの受信機（チューナー）、家庭用ゲーム機などにも本発明を適用することができる。
【００８７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００８８】
１  表示装置、１０  表示制御装置、２０  表示部、１１  ＭＰＵ、１２  ＲＡＭ、１３  ＲＯＭ、１４  表示制御部、１５  ビデオＲＡＭ、１６  通信部、１００  エアマウス、１１０  アイコン制御部、１１１  アイコン設定部、１１２  選択判定領域設定部、１１３  操作検出部、１１４  選択判定部、１１５  選択表示部
【図１】
2020003916.tif 000003
【図２】
2020003916.tif 000004
【図３】
2020003916.tif 000005
【図４】
2020003916.tif 000006
【図５】
2020003916.tif 000007
【図６】
2020003916.tif 000008
【図７】
2020003916.tif 000009
【図８】
2020003916.tif 000010
【図９】
2020003916.tif 000011
【図１０】
2020003916.tif 000012